(57)【要約】【課題】撮影者の視覚情報を邪魔することなく被写体のデフォーカス量を立体音響情報として提示することが出来る撮像装置を提供する。【解決手段】撮影可能な撮像素子と、前記撮像素子に光を結像させる光学系と、画面内のピント位置が被写体からどれだけ離れているかを示すデフォーカス情報を取得可能な測距装置と、前記測距装置で取得した前記被写体のデフォーカス情報を音響情報に変換する変換装置と、前記変換装置の出力を再生する音響装置と、を備え、ピント位置が前記被写体よりも前方にある場合は音響情報を撮影者前方に定位させ、ピント位置が前記被写体よりも後方にある場合は音響情報を撮影者後方に定位させる。【選択図】図２
2019149604.tif 000002
【特許請求の範囲】
【請求項１】
撮影可能な撮像素子と、
前記撮像素子に光を結像させる光学系と、
画面内のピント位置が被写体からどれだけ離れているかを示すデフォーカス情報を取得可能な測距装置と、
前記測距装置で取得した前記被写体のデフォーカス情報を音響情報に変換する変換装置と、
前記変換装置の出力を再生する音響装置と、
を備え、
ピント位置が前記被写体よりも前方にある場合は音響情報を撮影者前方に定位させ、ピント位置が前記被写体よりも後方にある場合は音響情報を撮影者後方に定位させることを特徴とする撮像装置。
【請求項２】
撮影可能な撮像素子と、
前記撮像素子に光を結像させる光学系と、
画面内のピント位置が被写体からどれだけ離れているかを示すデフォーカス量を取得可能な測距装置と、
前記測距装置で取得した前記被写体のデフォーカス量を音響情報に変換する変換装置と、
前記変換装置の出力を音声に変換する音響装置と、
前記光学系のフォーカス調整手段と、
を備え、
前記フォーカス調整手段を、前記被写体のデフォーカス量を減少させるよう操作する操作方向と、前記音響装置からの音声が聞こえる方向が一致していることを特徴とする撮像装置。
【請求項３】
前記撮像素子の撮影画面中の被写体位置に応じて、音響情報の音源を上下または左右のいずれかに定位させて示すことを特徴とする請求項１または２に記載の撮像装置。
【発明の詳細な説明】
【技術分野】
【０００１】
本発明は、撮像装置に関し、特にデジタルカメラにおけるピント合わせ補助の技術に関するものである。
【背景技術】
【０００２】
従来、カメラを使用して撮影を行う際、被写体へのピントのずれ（デフォーカス）を表示させる方法または被写体へのピント合わせを補助する方法として、図５に示す方法があった。図５（Ａ）には、一般的な一眼レフカメラの光学ファインダを用いた撮影におけるデフォーカスの状態を確認する方法を示している。図５（Ａ）は、撮影者からのファインダ画面を表している。
【０００３】
撮影者がファインダをのぞくと、ファインダの画面３００の内部にフォーカス測距点３０１と被写体３１０が見えており、ファインダの画面３００の下には必要な露出情報が表示されている。撮影者は、ファインダ像に写る被写体のボケ具合を確認してピント合わせを行うことも可能である。
【０００４】
しかし、撮影者による目視でのピント調整が困難な場合、ピント調節の補助機能として、いわゆるフォーカスインジケータが搭載されているカメラがある。このフォーカスインジケータは、カメラに搭載された位相差オートフォーカス機能を利用して、画面上のオートフォーカス測距点３０１の場所に位置する被写体３１０とピント位置とのデフォーカス量を測定し、画面下部のインジケータ３０２にデフォーカス状態や合焦状態か非合焦状態かの別を表示するものである。
【０００５】
また、図５（Ｂ）には、いわゆるミラーレスカメラやコンパクトデジタルカメラに用いられる電子ビューファインダにおいてピント合わせを補助する表示方法である、いわゆるフォーカスピーキング機能を示している。フォーカスピーキング機能とは、ピントが合っていると考えられる箇所を特定の色に着色して、ピーキング表示３０３として画面に重畳させて表示することで撮影者のピント調整を補助する機能である。
【０００６】
これは、画面上でピントが合焦していると考えられる箇所は画面内でコントラストが高く、空間周波数が高い場所であるため、一定の閾値を越えてコントラストと空間周波数が高い箇所を可視化しておけば、ピント合焦尤度の高い箇所を撮影者に提示出来るという考え方に基づいている。
【０００７】
しかし、これら従来の方法ではデフォーカス量の把握が困難である。また、画面内に情報を重畳させて表示するため、画面がちらついて見えることがあり、また被写体がピーキング情報に隠れてしまい、画面や構図の確認が困難になるという問題があった。
【０００８】
一方で、従来から、周囲環境に存在する対象物の位置や種類などを、音声やサウンドを用いた聴覚情報によって検知することを可能にする可聴化技術が各分野で提案されている。特許文献１では、周囲環境に存在する対象物の位置や種類を、三次元音響生成手段を用いて定位して提示することで、対象物の存在を音で表現して経路誘導を行うナビゲーションシステムが開示されている。
【先行技術文献】
【特許文献】
【０００９】
【特許文献１】特開平８−２５２２７９号公報
【発明の概要】
【発明が解決しようとする課題】
【００１０】
しかしながら、特許文献１に開示された従来技術は対象物と視聴者の相対位置を三次元音響による立体音場内に定位させるものであり、カメラを搭載させても、ピント位置と被写体との関係を知ることが出来ない。すなわち、特許文献１に開示された可聴化技術だけでは、デフォーカスを把握しにくいという問題解決が困難である。
【００１１】
本発明の目的は、撮影者の視覚情報を邪魔することなく被写体のデフォーカス量を立体音響情報として提示することが出来る撮像装置を提供することである。
【課題を解決するための手段】
【００１２】
上記目的を達成するために、本発明に係る撮像装置は、撮影可能な撮像素子と、前記撮像素子に光を結像させる光学系と、画面内のピント位置が被写体からどれだけ離れているかを示すデフォーカス情報を取得可能な測距装置と、前記測距装置で取得した前記被写体のデフォーカス情報を音響情報に変換する変換装置と、前記変換装置の出力を再生する音響装置と、を備え、ピント位置が前記被写体よりも前方にある場合は音響情報を撮影者前方に定位させ、ピント位置が前記被写体よりも後方にある場合は音響情報を撮影者後方に定位させることを特徴とする。
【００１３】
また、本発明に係る別の撮像装置は、撮影可能な撮像素子と、前記撮像素子に光を結像させる光学系と、画面内のピント位置が被写体からどれだけ離れているかを示すデフォーカス量を取得可能な測距装置と、前記測距装置で取得した前記被写体のデフォーカス量を音響情報に変換する変換装置と、前記変換装置の出力を音声に変換する音響装置と、前記光学系のフォーカス調整手段と、を備え、前記フォーカス調整手段を、前記被写体のデフォーカス量を減少させるよう操作する操作方向と、前記音響装置からの音声が聞こえる方向が一致していることを特徴とする。
【発明の効果】
【００１４】
本発明によれば、撮影者の視覚情報を邪魔することなく被写体のデフォーカス量を立体音響情報として提示することが出来る撮像装置を提供することが可能となる。
【図面の簡単な説明】
【００１５】
【図１】本発明の第一の実施形態におけるカメラと被写体の関係を示す模式図
【図２】本発明の第一の実施形態における立体音響情報提示の模式図
【図３】本発明の第二の実施形態における立体音響情報提示の模式図
【図４】本発明の第三の実施形態における立体音響情報提示の模式図
【図５】従来のカメラにおけるピント合わせ補助の表示方法を示す図
【図６】本発明の実施形態に係るデジタルカメラの構成を示す模式図
【図７】撮像素子１３０中の焦点検出画素１３１ａの詳細断面図
【発明を実施するための形態】
【００１６】
以下に、本発明の好ましい実施の形態を添付の図面に基づいて詳細に説明する。
【００１７】
（第１の実施形態）
（撮像装置）
図６は、本発明の実施形態に係る撮像装置の一例としての、デジタルカメラ本体１０１およびレンズ２０１の構成を示す模式図である。以下では、カメラの構成部品と主なカメラ撮影動作について説明する。
【００１８】
光を結像させる光学系であるレンズユニット２０１の、撮像レンズ２０２を透過した光束は、カメラ本体１０１内のシャッターユニット１５０を通過して撮像素子１３０へと導かれる。撮像素子１３０で露光された光束は電気信号に変換される。変換された電気信号からなる撮像情報はシステム制御部１４０で画像処理や補正処理、記録画像への変換処理が行われる。
【００１９】
システム制御部１４０で処理された撮像情報は、内蔵メモリ１４４や外部メモリーカードからなる記録装置１４５へ記録される。システム制御部１４０には電源制御部１４２による制御に従い、バッテリーからなる電源１４１から電力が供給される。また、撮影情報やカメラ本体１０１の各種設定状態、撮像素子１３０が受光していた画像のライブビュー画像は、ＬＣＤ（液晶表示器）モニターで構成された外部表示部１４３に表示される。撮影者は外部表示部１４３に表示される撮像素子１３０の像を確認しながら、構図や露出を調整する。
【００２０】
レンズユニット２０１は、入射光束を撮像素子１３０に結像させ、また各種の光学収差を補正する撮像レンズ２０２と、レンズの開口を調整する絞り２０３から構成される絞りユニット、また撮像レンズ２０２のフォーカスを調整する不図示のフォーカスユニットで構成される。フォーカスユニットはシステム制御部１４０からの指令によって不図示のアクチュエータによって駆動し、撮像素子１３０への入射光のピント状態を調整して被写体にピントを合わせることが出来る。また、フォーカスユニットは、レンズユニット２０１に設けられたフォーカス調整手段であるピントリング２０４を操作することでもピント状態を調整することができる。
【００２１】
撮像素子１３０はマトリクス状に配設された光電変換素子からなる画像センサであり、レンズユニット２０１からの光を受光して画像を撮像する。また、撮像素子１３０は画面内のピント位置が被写体からどれだけ離れているかを示す、デフォーカス情報を取得することが出来る。デフォーカス情報の取得は一般的に複数の方法が知られており、どのような方法でも構わないが、以下に一例として撮像素子１３０内に撮像焦点検出画素１３１ａを持つことでデフォーカス情報を取得する構成を説明する。
【００２２】
図７に、撮像素子１３０内に配設された焦点検出画素１３１ａの拡大断面図を示す。焦点検出画素１３１ａはマイクロレンズ４０１の下に配線層４０２を持ち、配線層４０２の下には、受光した光を電気信号に変換する光電変換部４０３ａおよび４０３ｂを持つ。光束４０４ａは、光電変換部４０３ａが受光する光束の概略図であり、光束４０４ｂは、光電変換部４０３ｂが受光する光束の概略図である。
【００２３】
光電変換部の配置に示されるように、光電変換部４０３ａと光電変換部４０３ｂは、レンズの射出瞳において異なった場所を通過した光束を受光している。撮像素子１３０内には、光電変換部４０３ａが受光しているレンズ射出瞳（一部）と、光電変換部４０３ｂが受光しているレンズ射出瞳（一部）が一致（略一致も含む）する複数の焦点検出画素がマトリクス状に配設されており、それらの焦点検出画素が受光する光束４０４ａと光束４０４ｂの像信号をそれぞれ集束させ、二つの情報の違いから、被写体までの距離を測距して画像のデフォーカス情報を取得する。
【００２４】
撮像素子１３０で取得され、システム制御部１４０と距離情報算出器１４７によって計算された画像のデフォーカス情報は、デフォーカス情報を音響情報に変換する変換装置である、音響情報制御装置１４６によって立体音響情報へ変換される。
【００２５】
音響情報制御装置１４６は、画像のデフォーカス量や、画像中の被写体位置の情報をもとに、各被写体のデフォーカス量と画面中の被写体位置に対応した音が二次元ないしは三次元内の特定の箇所に生成されるように模擬された立体音響情報を生成する。生成した立体音響情報は、カメラ本体１０１に接続された、立体音響を再生する音響装置としてのヘッドホン１９０に出力される。音響装置はヘッドホン以外にもイヤホンやスピーカーでも構わず、立体音響を再生可能な音響装置であればどのような形式でも構わない。
【００２６】
撮影者はピントを調整する際、装着したヘッドホン１９０から出力される立体音響情報を知覚することで、被写体のデフォーカス量と画面中の被写体位置の手掛かりを得ることが出来るため、容易にピントリング２０４を操作し、またカメラのオートフォーカス機能を操作して被写体にピントを合わせることが可能となる。
【００２７】
（被写体情報を音響情報に変換する方法）
以下に、本発明の実施形態に係るカメラにおいて、被写体のデフォーカス量と画面中の被写体位置を立体音響情報に変換して撮影者に提示することを、図１および図２を用いて詳細に説明する。図１（Ａ）および図１（Ｂ）は、撮影者がカメラ本体１０１を被写体５０１に向けて撮影している様子を模式的に示している。図１（Ａ）はその様子をカメラ本体１０１の撮影光軸上方からみた上面図、図１（Ｂ）は撮影光軸右側からみた側面図である。
【００２８】
図１（Ａ）および図１（Ｂ）において、カメラ本体１０１のピント面５１０は被写体５０１より至近側に位置しており、被写体５０１にはピントがあっていない状態である。ピント面位置５１０と被写体５０１の光軸に沿った距離、すなわちデフォーカス量をＬ１０１ａで示している。このとき、被写体５０１がピント面５１０よりも無限遠側にある（いわゆる前ピン状態）とき、Ｌ１０１ａの値を正とし、被写体５０１がピント面５１０よりも至近側にある（いわゆる後ピン状態）にあるとき、Ｌ１０１ａの値を負とする。
【００２９】
画面中の被写体５０１の位置は、撮影光軸中心からの角度ずれで把握している。被写体５０１の中心位置と撮影光軸中心との水平方向の角度ずれを図１（Ａ）に示すようにＤ１０１と表し、垂直方向の角度ずれは図１（Ｂ）に示すようにＤ１０２と表す。図１（Ａ）におけるＤ０１１はカメラ本体１０１の水平方向の画角を、図１（Ｂ）におけるＤ０１２はカメラ本体１０１の垂直方向の画角を示している。
【００３０】
角度ずれ量Ｄ１０１およびＤ１０２には便宜的に正負を持つ値を与えられており、Ｄ１０１は撮影光軸より画面左側への方向を正とし、Ｄ１０２は撮影光軸より画面上側の方向を正とする。したがって、図１Ａでは被写体５０１は画面右側に位置するためＤ１０１の値は負、同様に図１Ｂでは被写体５０１は画面下側に位置するためＤ１０２の値も負となっている。
【００３１】
（[音源位置をどのように変換するか]
図２に、上記で説明した図１の状態において、撮影者が装着するヘッドホン１９０に流れている被写体５０１のデフォーカス量および画面中の被写体位置に対応して生成された立体音響情報の模式図を示す。
【００３２】
ヘッドホン１９０には、被写体５０１のデフォーカス量と画面中の被写体位置に応じて、被写体５０１に対応した音源５１１が仮想的に特定の位置に定位して発音されている。このとき撮影者には、前ピン状態にある被写体５０１を示す仮想的な音源５１１の音が、ヘッドホンの前方右側下方の位置（位置座標Ｐ５１１）から聞こえている状態である。この図２を用いて、デフォーカス量と画面中の被写体の位置に応じて音源５１１の位置座標Ｐ５１１を決定させる方法を以下に記載する。
【００３３】
図２では、ヘッドホン１９０がＸＹＺ空間上の原点にあり、撮影者が装着した時に正面前方向をＸ軸、右手方向をＹ軸、上方向をＺ軸となるように座標を配置した場合を示している。この座標空間上において、ＸＹ平面上の直線Ｌ２０２がＸ軸となす角度θは音源５１１の水平方向のずれ方向を、直線Ｌ２０１と直線Ｌ２０２がなす角度φは音源５１１の垂直方向のずれ方向を示す。
【００３４】
図２の座標空間における、直線Ｌ２０１上の音源５１１と原点との距離Ｌ２０１ａを、図１（Ａ）および図１（Ｂ）のデフォーカス量Ｌ１０１ａ、後述する設計パラメータｋを用いて、
式００１：Ｌ１０１ａ≧０のとき、Ｌ２０１ａ＝ｋ（正数）×（Ｌ１０１ａ）
式００２：Ｌ１０１ａ＜０のとき、Ｌ２０１ａ＝ｋ（正数）×（Ｌ１０１ａ）×（−１）
と設定する。
【００３５】
すると、音源５１１の仮想定位の位置座標Ｐ５１１（Ｘ，Ｙ，Ｚ）は、
式００３：Ｌ１０１ａ≧０のとき、
Ｐ５１１（Ｘ，Ｙ，Ｚ）＝（（Ｌ２０１ａ）×ｃｏｓφ×ｃｏｓθ，（Ｌ２０１ａ）×ｃｏｓφ×ｓｉｎθ、（Ｌ２０１ａ）×ｓｉｎφ）
と示すことができる。
【００３６】
また、式００４：Ｌ１０１ａ＜０のとき、
Ｐ５１１（Ｘ，Ｙ，Ｚ）＝（（−１）×（Ｌ２０１ａ）×ｃｏｓφ×ｃｏｓθ，（Ｌ２０１ａ）×ｃｏｓφ×ｓｉｎθ、（Ｌ２０１ａ）×ｓｉｎφ）
と示すことができる。
【００３７】
ここで、―２／πからπ／２で示される角度θと角度φは、図１中のＤ００１、Ｄ１０２、Ｄ００１、Ｄ００２、さらに０から１の間で適切に設定される設計パラメータの定数ｍおよびｎを用いて、
式００５：角度θ＝ｍ×｛Ｄ１０１／（Ｄ０１１／２）｝×π／２（ｒａｄ）
式００６：角度φ＝ｎ×｛Ｄ１０２／（Ｄ０１２／２）｝×π／２（ｒａｄ）
と設定される。
【００３８】
上記の座標決定時に重要なのは、Ｌ１０１ａ≧０のとき、つまり被写体５０１が前ピン状態にある場合、位置座標Ｐ５１１のＸ座標が正となること、また、Ｌ１０１ａ＜０、つまり被写体５０１が後ピン状態にある場合、位置座標Ｐ５１１のＸ座標が負となることである。
【００３９】
すなわち、ピント面よりも被写体が後ろにいる場合は立体音響情報を撮影者前方に定位させ、ピント面よりも被写体が前方にいる場合は立体音響情報を撮影者後方に定位させることで、撮影者は被写体５０１にピントを合わせようとする際に、音源５１１の位置が撮影者自身の前方か後方のどちらにあるかいう情報から、ピントずれ方向をより容易に判断することが出来る。
【００４０】
式００１、式００２中にある正数ｋは、ピント面移動による仮想定位変更の敏感度を調整するために用いられる設計パラメータであり、適切な変数や定数に設定される。たとえばピントずれ量をリニアに把握する場合は、ｋ＝ｃ(定数）と設定すればよい。また、精密なピント合わせを重視する場合は、デフォーカス量Ｌ１０１ａの絶対値｜Ｌ１０１ａ｜を用いて、ｋ＝ｃ（定数）×｜Ｌ１０１ａ｜＾（−１／２）と設定すれば、Ｌ２０１ａ＝ｃ（定数）×｜Ｌ１０１ａ｜＾（１／２）となる。
【００４１】
この場合、ピントずれ量が小さくなるほどにピント面５１０の移動に伴う距離Ｌ２０１ａの変化量が敏感となり、合焦近傍での音源位置を使ったピント合わせを精密に行うことが出来る。
【００４２】
（ピントが合焦した場合）
撮影者がカメラ本体１０１およびレンズユニット２０１を操作し、ピント面５１０を被写体５０１に合焦させた場合、被写体５０１とピント面５１０との距離Ｌ１０１ａ＝０となり、音源５１１の位置座標Ｐ５１１（Ｘ，Ｙ，Ｚ）＝（０，０，０）となる。したがって、このときヘッドホン１９０から聞こえる音源５１１は、ヘッドホン１９０と同じ位置に定位する。ヘッドホン１９０を装着した撮影者は、撮影者自身の内部に音源５１１の音が鳴っているように聞こえる。
【００４３】
以上より、撮影者は、立体音響情報を手掛かりとしてピントを合わせようとする場合、
カメラを構えた際に装着したヘッドホン１９０から聞こえてくる、右前方の下側に位置する音源５１１から鳴る音が撮影者自身の内部に定位するよう、音源５１１が自身に近づいてくるようにカメラ本体１０１を操作すれば、被写体５０１にピントを合わせることが可能となる。
【００４４】
以上説明した、被写体のデフォーカス量および画面中の位置を立体音響情報に変換して提示するための方法は、この変換式のみに限定されるものではない。上記実施形態の説明では音源５１１の音の種類や、音量や音色については説明を行っていないが、音源５１１は単一音でも特定のメロディーであってもよい。
【００４５】
また、音量や音色が、距離Ｌ２０１ａの変化に対応して変化するものであっても良い。また、式００５および式００６では０から１の定数としたｍ、ｎも、敏感度や利便性から適切な定数や変数に設定することができる。この例を第二の実施形態および第三の実施形態として後述する。
【００４６】
（第２の実施形態）
次に、本発明の第２の実施形態として、式００５のパラメータｍ＝０と、式００６のパラメータｎ＝０とした場合を例に説明を行う。この場合、角度θ＝０（ｒａｄ）、角度φ＝０（ｒａｄ）となるため、音源５１１の位置座標Ｐ５１１は式００７に示すように
式００７：Ｐ５１１（Ｘ，Ｙ，Ｚ）＝（Ｌ２０１ａ、０、０）
と表される。つまり、ピント変化に伴う音源の移動はＸ軸方向に沿うものとなる。
【００４７】
図３に第２の実施形態において、撮影者が装着するヘッドホン１９０に流れている被写体５０１のデフォーカス量および、画面上の位置に対応して生成された立体音響情報の模式図を示す。特に断りのない場合は、図１（Ａ）および図１（Ｂ）で示された、カメラ本体１０１と被写体５０１の関係と同一の状況を示している。図３（Ａ）は撮影光軸上方から、図３（Ｂ）は撮影光軸右側からの図である。
【００４８】
図３をみると明らかなように、この第二の実施形態において、ヘッドホン１９０を装着した撮影者は、ピントを調節した際、被写体５０１を示す音源５１１は自身の前後方向にのみ移動して聞こえてくる。撮影者は、前ピンの場合は自身の後方から、後ピンの場合は自身の前方から聞こえてくる音が、自身に一致するようにカメラ本体１０１を操作すればよい。
【００４９】
Ｘ軸方向に沿う音源の移動変化は、距離Ｌ２０１ａの値が大きければ音を小さくし、距離Ｌ２０１ａの値が小さければ音を大きくするような、音量の変化や音程の変化として示すことも可能である。
【００５０】
（第３の実施形態）
また、第３の実施形態として、パラメータｎ＝０と設定し、パラメータｍを式００８に示すように、
式００８：ｍ＝（Ｄ０１１）／（Ｄ１０１）
と設定した場合を説明する。
【００５１】
この場合、角度θ＝π／２（ｒａｄ）、角度φ＝０（ｒａｄ）となり、音源５１１の位置Ｐ５１１は式００９に示すように
式００９：Ｐ５１１（Ｘ，Ｙ，Ｚ）＝（０，Ｌ２０１ａ，０）
と表される。
【００５２】
図４に第３の実施形態において、撮影者がカメラ本体１０１を被写体５０１に向けて撮影している様子と、撮影者が装着するヘッドホン１９０に流れている被写体５０１のデフォーカス量および画面上の位置に対応して生成された立体音響情報の模式図を示す。図４（Ａ）は撮影の様子をカメラ本体１０１の撮影光軸上方から、図４（Ｂ）は撮影光軸右側からみた図であり、図４（Ｃ）は撮影光軸上方から、図４（Ｄ）は撮影光軸右側からの図である。
【００５３】
図４（Ｃ）および図４（Ｄ）に示すように、本実施形態において、ピント変化に伴う音源の移動はＹ軸方向に沿うものとなり、ヘッドホン１９０を装着した撮影者がピントを調節した際、被写体５０１を示す音源５１１は撮影者の左右方向にのみ移動して聞こえることとなる。本実施形態においては、ヘッドホン１９０に複雑な立体音響の再生能力が要求されなくなるため、構成を簡素なものとすることが出来る。
【００５４】
本実施形態において、カメラ本体１０１に装着されたピントリング２０４の回転方向と、ピントリング２０４を回転させた場合のピント移動方向を図４（Ａ）および図４（Ｂ）に示す。図４（Ａ）および図４（Ｂ）では、ピントリング２０４を（撮影者からみて）反時計回りに回転させたときに、ピント面５１０は無限遠側に移動する。逆方向の時計回りに回転させると至近側に移動する。
【００５５】
このとき、図４（Ｃ）および図４（Ｄ）に示すように、前ピン状態にある被写体５０１に対応した音源５１１の位置Ｐ５１１は、ピントリング２０４を被写体のデフォーカス量が減少する回転方向である撮影光軸左側に定位するようになっている。
【００５６】
すると、撮影者はピントがあっていない被写体５０１に対応した、音源５１１の音が聞こえる方向にピントリング２０４を回すことで、被写体５０１にピントを合わせることが可能となり、撮影者が被写体にピントを合わせるようピント調整を行う際、ピントリング２０４の回転方向を容易に知ることが出来る。
【００５７】
（複数の音源）
これまで単一の被写体５０１について、デフォーカス量と画面中の位置を立体音響情報に変換して撮影者に提示するための実施形態について説明したが、複数被写体を音で聞かせる場合も同様にすればよい。
【００５８】
つまり、画面中の複数被写体それぞれに対応した音源を生成し、重畳した立体音響情報として撮影者に聞かせてやればよい。カメラが被写体を複数として識別出来る場合、各被写体にそれぞれ別の音色や音程を割り当て、別の音として聞かせることで、撮影者は各被写体がそれぞれどの位置、距離にいるかを音色や音源の位置、音程から把握することが可能となる。また、被写体の認識を行わず、画面中のデフォーカス分布をそのまま立体的な音場として変換して撮影者に提示することも可能である。
【００５９】
以上、本発明の好ましい実施形態について説明したが、本発明はこれらの実施形態に限定されず、その要旨の範囲内で種々の変形及び変更が可能である。
【００６０】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６１】
１０１：カメラ本体
１３０：撮像素子
１３０ａ：撮像焦点検出画素
Ｌ１０１ａ：デフォーカス量
１４６：音響情報制御装置
１９０：ヘッドホン
２０１：レンズユニット
２０４：ピントリング
Ｌ２０１ａ：直線Ｌ２０１上の音源５１１と原点との距離
【図１】
2019149604.tif 000003
【図２】
2019149604.tif 000004
【図３】
2019149604.tif 000005
【図４】
2019149604.tif 000006
【図５】
2019149604.tif 000007
【図６】
2019149604.tif 000008
【図７】
2019149604.tif 000009